(57)【特許請求の範囲】
【請求項１】
文字列、または画像により構成される記事情報であって、複数の記事情報を組み合わせて構成されるコンテンツを、表示用ディスプレイに係る情報と前記コンテンツにおける各記事情報の配置と前記コンテンツにおける前記記事情報の領域の大きさに関する情報に基づいて再構成し、再構成コンテンツを前記表示用ディスプレイに表示する制御を行う表示制御部と、
文字列を特定するテキストデータを取得するテキストデータ取得部と
を備え、
前記コンテンツにおける前記記事情報の領域の大きさに関する情報とは、前記記事情報が前記コンテンツに占める領域の割合であり、
前記再構成コンテンツにおいて、前記文字列を縦書きまたは横書きのいずれの表示態様で表示させるかが指定され、前記文字列の表示態様を変更して表示させる場合、
前記記事情報の配置、および、前記記事情報が前記コンテンツに占める領域の割合に関する情報に基づいて、前記領域の配置位置を反時計回りまたは時計回り回転させて、前記再構成コンテンツを構成する
情報処理装置。
【請求項２】
前記コンテンツには、
前記領域のそれぞれに表示される記事情報に対応するタイトル、見出し、または画像に係る情報がさらに含まれる
請求項１に記載の情報処理装置。
【請求項３】
前記表示制御部は、
前記再構成コンテンツにおいて、前記文字列を構成する文字の大きさ、または、前記文字の数を変更する
請求項１に記載の情報処理装置。
【請求項４】
前記再構成コンテンツにおいて、前記文字列の文字の間隔を変更する
請求項１に記載の情報処理装置。
【請求項５】
前記再構成コンテンツにおいて、前記文字列を縦書きまたは横書きのいずれの表示態様で表示させるかを判定する文字列方向判定部を
さらに備える請求項１に記載の情報処理装置。
【請求項６】
前記記事情報を構成するテキストデータが、他の情報処理装置に供給され、
前記表示制御部は、
前記他の情報処理装置による前記テキストデータの利用頻度、引用頻度を示す利用状況に基づいて特定された記事情報を強調表示させる
請求項１に記載の情報処理装置。
【請求項７】
前記表示制御部は、
ユーザの指令に基づいて、特定された記事情報を強調表示させる
請求項１に記載の情報処理装置。
【請求項８】
前記表示制御部は、
強調表示させる記事情報を、他の記事情報とは異なる色の文字で表示させる
請求項６または７に記載の情報処理装置。
【請求項９】
前記表示制御部は、
強調表示させる記事情報を、３Ｄ表示させる
請求項６または７に記載の情報処理装置。
【請求項１０】
前記表示制御部は、
前記複数の記事情報を表示している複数の領域からなる第１の画面において、前記複数の領域のうち、いずれの領域がユーザにより指定された場合、
前記指定された領域に該当する記事情報のみを前記第１の画面とは異なる第２の画面に表示する
請求項１に記載の情報処理装置。
【請求項１１】
前記表示制御部は、
前記複数の領域のうち、いずれの領域がユーザにより指定された場合、
前記第１の画面において表示していた内容と、前記第２の画面に新たに表示された内容を区別できる表示の態様で表示させる
請求項１０に記載の情報処理装置。
【請求項１２】
バッテリーを内蔵する他の機器の一部に装着される
請求項１に記載の情報処理装置。
【請求項１３】
前記情報処理装置が、他の機器に装着された場合、
前記コンテンツにおける各記事情報の配置と前記コンテンツにおける前記記事情報の領域の大きさに基づいて、
前記再構成コンテンツにおける前記各記事情報の表示領域を特定すると共に、前記記事情報のタイトルを拡大して表示させる
請求項１に記載の情報処理装置。
【請求項１４】
前記情報処理装置が、他の機器に装着された場合、
前記コンテンツにおける各記事情報の配置と前記コンテンツにおける前記記事情報の領域の大きさに基づいて、
前記再構成コンテンツにおける前記各記事情報のタイトルの文字の大きさを制御する
請求項１に記載の情報処理装置。
【請求項１５】
タッチパネルとして構成され、前記画面を表示するディスプレイをさらに備え、
前記ディスプレイに表示された画像がＧＵＩとして操作される
請求項１に記載の情報処理装置。
【請求項１６】
前記コンテンツデータを、ネットワークを介して接続される他の機器から受信する
請求項１に記載の情報処理装置。
【請求項１７】
文字列、または画像により構成される記事情報であって、複数の記事情報を組み合わせて構成されるコンテンツを、表示用ディスプレイに係る情報と前記コンテンツにおける各記事情報の配置と前記コンテンツにおける前記記事情報の領域の大きさに関する情報に基づいて再構成し、再構成コンテンツを前記表示用ディスプレイに表示する制御を行うステップと、
文字列を特定するテキストデータを取得するテキストデータ取得ステップと
を含み、
前記コンテンツにおける前記記事情報の領域の大きさに関する情報とは、前記記事情報が前記コンテンツに占める領域の割合であり、
前記前記再構成コンテンツにおいて、前記文字列を縦書きまたは横書きのいずれの表示態様で表示させるかが指定され、前記文字列の表示態様を変更して表示させる場合、
前記記事情報の配置、および、前記記事情報が前記コンテンツに占める領域の割合に関する情報に基づいて、前記領域の配置位置を反時計回りまたは時計回り回転させて、前記再構成コンテンツを構成する
情報処理方法。
【請求項１８】
文字列、または画像により構成される記事情報であって、複数の記事情報を組み合わせて構成されるコンテンツを、表示用ディスプレイに係る情報と前記コンテンツにおける各記事情報の配置と前記コンテンツにおける前記記事情報の領域の大きさに関する情報に基づいて再構成させる機能と、
再構成コンテンツを前記表示用ディスプレイに表示させる機能と、
文字列を特定するテキストデータを取得させる機能とを
コンピュータに実現させ、
前記コンテンツにおける前記記事情報の領域の大きさに関する情報とは、前記記事情報が前記コンテンツに占める領域の割合であり、
前記再構成コンテンツにおいて、前記文字列を縦書きまたは横書きのいずれの表示態様で表示させるかが指定され、前記文字列の表示態様を変更して表示させる場合、
前記記事情報の配置、および、前記記事情報が前記コンテンツに占める領域の割合に関する情報に基づいて、前記領域の配置位置を反時計回りまたは時計回り回転させて、前記再構成コンテンツを構成する
ためのプログラム。
【発明の詳細な説明】
【技術分野】
【０００１】
本技術は、情報処理装置および方法、並びにプログラムに関し、特に、ディスプレイに応じてコンテンツの表示形態を適切に変更できるようにするとともに、変更後のコンテンツ全体を一目で俯瞰して概要を把握できるようにする情報処理装置および方法、並びにプログラムに関する。
【背景技術】
【０００２】
近年、新聞、本など、文字を中心とするコンテンツをディスプレイに表示して閲覧できるデバイスが多く開発されている。
【０００３】
このようなデバイスにおいて、例えば、既定の大きさのデバイスを想定してレイアウトされたコンテンツを、別のデバイスで表示させる場合、次のような問題が生じることがある。
【０００４】
例えば、コンテンツを表示させる別のデバイスが、既定のデバイスよりも画面サイズが小さかったり、縦横比が異なったりするとコンテンツをそのまま縮小しただけでは可読性に難が生じる。
【０００５】
このような問題への対応としては、例えば、コンテンツをリスト化して表示するなどの手法が挙げられる。例えば、新聞などのコンテンツを、記事ごとにリスト化し、リストの中から所望の記事の閲覧が指令された場合、当該記事を構成する文字列などがディスプレイに表示されるようにすることが可能である。
【０００６】
また、紙面画面に表示される複数の記事の各々について表示対象文字列を特定し、各記事を表示するために設けられた紙面画面上の表示領域の領域サイズを、記事の表示対象文字列の文字数に合わせて調整する技術も提案されている（例えば、特許文献１参照）。
【先行技術文献】
【特許文献】
【０００７】
【特許文献１】特開２００８−２６２３０６号公報
【発明の開示】
【発明が解決しようとする課題】
【０００８】
しかしながら、例えば、新聞などのコンテンツの場合、記事の配置される紙面上の位置、タイトルや見出しなどのスタイルが意味を持っている。
【０００９】
例えば、紙面の右上には、読者の関心が高いと考えられる記事が配置され、その周辺に関連する内容の記事が配置されることが多い。また、重要度が高いと思われる記事には、紙面上で大きな表示領域が割り当てられ、一方、重要度が低いと思われる記事には、紙面上で小さな表示領域が割り当てられる。さらに、タイトルを白抜きの文字としたり、見出しのフォントを変更するなどして、記事の重要度を表現するとともに、読むべき記事の取捨選択を容易にしている。
【００１０】
つまり、新聞などのコンテンツは、例えば、記事の配置される紙面上の位置、記事の表示領域、タイトルや見出しなどのスタイルを工夫して、コンテンツ全体を一目で俯瞰し、概要を把握することが可能となるように構成されている。
【００１１】
従来の技術のように、例えば、記事をリスト化してコンテンツを表示した場合、上述したような、コンテンツ全体を一目で俯瞰して概要を把握できるという利点が失われてしまうことになる。
【００１２】
本技術はこのような状況に鑑みて開示するものであり、ディスプレイに応じてコンテンツの表示形態を適切に変更できるようにするとともに、変更後のコンテンツ全体を一目で俯瞰して概要を把握できるようにするものである。
【課題を解決するための手段】
【００１３】
本技術の一側面は、文字列、または画像により構成される記事情報であって、複数の記事情報を組み合わせて構成されるコンテンツを、表示用ディスプレイに係る情報と前記コンテンツにおける各記事情報の配置と前記コンテンツにおける前記記事情報の領域の大きさに関する情報に基づいて再構成し、再構成コンテンツを前記表示用ディスプレイに表示する制御を行う表示制御部と、文字列を特定するテキストデータを取得するテキストデータ取得部とを備え、前記コンテンツにおける前記記事情報の領域の大きさに関する情報とは、前記記事情報が前記コンテンツに占める領域の割合であり、前記再構成コンテンツにおいて、前記文字列を縦書きまたは横書きのいずれの表示態様で表示させるかが指定され、前記文字列の表示態様を変更して表示させる場合、前記記事情報の配置、および、前記記事情報が前記コンテンツに占める領域の割合に関する情報に基づいて、前記領域の配置位置を反時計回りまたは時計回り回転させて、前記再構成コンテンツを構成する情報処理装置である。
【００１７】
前記コンテンツには、前記領域のそれぞれに表示される記事情報に対応するタイトル、見出し、または画像に係る情報がさらに含まれる。
【００１８】
前記表示制御部は、前記再構成コンテンツにおいて、前記文字列を構成する文字の大きさ、または、前記文字の数を変更することができる。
【００１９】
前記再構成コンテンツにおいて、前記文字列の文字の間隔を変更することができる。
【００２０】
前記再構成コンテンツにおいて、前記文字列を縦書きまたは横書きのいずれの表示態様で表示させるかを判定する文字列方向判定部をさらに備えることができる。
【００２２】
前記記事情報を構成するテキストデータが、他の情報処理装置に供給され、前記表示制御部は、前記他の情報処理装置による前記テキストデータの利用頻度、引用頻度を示す利用状況に基づいて特定された記事情報を強調表示させることができる。
前記表示制御部は、ユーザの指令に基づいて、特定された記事情報を強調表示させることがでる。
前記表示制御部は、強調表示させる記事情報を、他の記事情報とは異なる色の文字で表示させることができる。
【００２３】
前記表示制御部は、強調表示させる記事情報を、３Ｄ表示させることができる。
前記表示制御部は、前記複数の記事情報を表示している複数の領域からなる第１の画面において、前記複数の領域のうち、いずれの領域がユーザにより指定された場合、前記指定された領域に該当する記事情報のみを前記第１の画面とは異なる第２の画面に表示することができる。
【００２４】
前記表示制御部は、前記複数の領域のうち、いずれの領域がユーザにより指定された場合、前記第１の画面において表示していた内容と、前記第２の画面に新たに表示された内容を区別できる表示の態様で表示させることができる。
バッテリーを内蔵する他の機器の一部に装着される。
【００２５】
前記情報処理装置が、他の機器に装着された場合、前記コンテンツにおける各記事情報の配置と前記コンテンツにおける前記記事情報の領域の大きさに基づいて、前記再構成コンテンツにおける前記各記事情報の表示領域を特定すると共に、前記記事情報のタイトルを拡大して表示させることができる。
前記情報処理装置が、他の機器に装着された場合、前記コンテンツにおける各記事情報の配置と前記コンテンツにおける前記記事情報の領域の大きさに基づいて、再構成コンテンツにおける前記各記事情報のタイトルの文字の大きさを制御することができる。
【００２６】
タッチパネルとして構成され、前記画面を表示するディスプレイをさらに備え、前記ディスプレイに表示された画像がＧＵＩとして操作される。
前記コンテンツデータを、ネットワークを介して接続される他の機器から受信することができる。
【００２７】
本技術の一側面は、文字列、または画像により構成される記事情報であって、複数の記事情報を組み合わせて構成されるコンテンツを、表示用ディスプレイに係る情報と前記コンテンツにおける各記事情報の配置と前記コンテンツにおける前記記事情報の領域の大きさに関する情報に基づいて再構成し、再構成コンテンツを前記表示用ディスプレイに表示する制御を行うステップと、文字列を特定するテキストデータを取得するテキストデータ取得ステップとを含み、前記コンテンツにおける前記記事情報の領域の大きさに関する情報とは、前記記事情報が前記コンテンツに占める領域の割合であり、前記前記再構成コンテンツにおいて、前記文字列を縦書きまたは横書きのいずれの表示態様で表示させるかが指定され、前記文字列の表示態様を変更して表示させる場合、前記記事情報の配置、および、前記記事情報が前記コンテンツに占める領域の割合に関する情報に基づいて、前記領域の配置位置を反時計回りまたは時計回り回転させて、前記再構成コンテンツを構成する情報処理方法である。
【００２８】
本技術の一側面は、文字列、または画像により構成される記事情報であって、複数の記事情報を組み合わせて構成されるコンテンツを、表示用ディスプレイに係る情報と前記コンテンツにおける各記事情報の配置と前記コンテンツにおける前記記事情報の領域の大きさに関する情報に基づいて再構成させる機能と、再構成コンテンツを前記表示用ディスプレイに表示させる機能と、文字列を特定するテキストデータを取得させる機能とをコンピュータに実現させ、前記コンテンツにおける前記記事情報の領域の大きさに関する情報とは、前記記事情報が前記コンテンツに占める領域の割合であり、前記再構成コンテンツにおいて、前記文字列を縦書きまたは横書きのいずれの表示態様で表示させるかが指定され、前記文字列の表示態様を変更して表示させる場合、前記記事情報の配置、および、前記記事情報が前記コンテンツに占める領域の割合に関する情報に基づいて、前記領域の配置位置を反時計回りまたは時計回り回転させて、前記再構成コンテンツを構成するためのプログラムである。
【００２９】
本技術の一側面においては、文字列、または画像により構成される記事情報であって、複数の記事情報を組み合わせて構成されるコンテンツが、表示用ディスプレイに係る情報と前記コンテンツにおける各記事情報の配置と前記コンテンツにおける前記記事情報の領域の大きさに関する情報に基づいて再構成され、再構成コンテンツを前記表示用ディスプレイに表示する制御が行われる。また、文字列を特定するテキストデータが取得され、前記コンテンツにおける前記記事情報の領域の大きさに関する情報とは、前記記事情報が前記コンテンツに占める領域の割合であり、前記前記再構成コンテンツにおいて、前記文字列を縦書きまたは横書きのいずれの表示態様で表示させるかが指定され、前記文字列の表示態様を変更して表示させる場合、前記記事情報の配置、および、前記記事情報が前記コンテンツに占める領域の割合に関する情報に基づいて、前記領域の配置位置を反時計回りまたは時計回り回転させて、前記再構成コンテンツが構成される。
【発明の効果】
【００３０】
本技術によれば、ディスプレイに応じてコンテンツの表示形態を適切に変更できるようにするとともに、変更後のコンテンツ全体を一目で俯瞰して概要を把握できる。
【図面の簡単な説明】
【００３１】
【図１】本技術の一実施の形態に係るコンテンツ表示システムの構成例を示すブロック図である。
【図２】本技術を適用した表示装置の外観の例を示す図である。
【図３】レイアウトデータを説明する図である。
【図４】新聞のコンテンツにおける紙面の画像を縮小して表示させた例を示す図である。
【図５】新聞のコンテンツにおける紙面を、本技術を適用することで表示させた例を示す図である。
【図６】ディスプレイのサイズに応じた表示例を説明する図である。
【図７】強調表示させる場合の例を説明する図である。
【図８】各記事の縦書きでの表示領域の例を示す図である。
【図９】図８の表示領域の占有率に応じて割り当てられるグリッドの例を示す図である。
【図１０】縦書き表示を横書き表示に変更する場合の記事の配置の変更の例を説明する図である。
【図１１】縦書き表示を横書き表示に変更する場合の記事の配置の変更の例を説明する図である。
【図１２】縦書き表示を横書き表示に変更する場合の記事の配置の変更の例を説明する図である。
【図１３】横書き表示された紙面の画像の例を示す図である。
【図１４】記事の本文が表示されずにタイトルや見出しが表示される場合の例を示す図である。
【図１５】記事の全文が表示される場合の例を説明する図である。
【図１６】所定の領域内の記事本文がスクロール表示される場合の例を示す図である。
【図１７】所定の領域内の記事本文が拡大表示される場合の例を示す図である。
【図１８】紙面表示処理の例を説明する図である。
【図１９】記事表示操作処理の例を説明する図である。
【図２０】パーソナルコンピュータの一部に本技術を適用した表示装置が装着される例を示す図である。
【図２１】タブレット型端末の一部に本技術を適用した表示装置が装着される例を示す図である。
【図２２】本技術を英語のコンテンツに適用する場合の例を説明する図である。
【図２３】パーソナルコンピュータの構成例を示すブロック図である。
【発明を実施するための形態】
【００３２】
以下、図面を参照して、ここで開示する技術の実施の形態について説明する。
【００３３】
図１は、本技術の一実施の形態に係るコンテンツ表示システムの構成例を示すブロック図である。同図に示されるコンテンツ表示システムは、表示装置１０、サーバ１１、アクセスポイント１２、およびネットワーク２０により構成されている。
【００３４】
表示装置１０は、例えば、コンテンツを表示するディスプレイを有する電子機器として構成され、内部にマイクロコンピュータなどを有する機器とされる。また、表示装置１０は、所定の通信プロトコルによる通信機能を有する機器として構成され、必要に応じて他の機器と通信を行うようになされている。表示装置１０は、例えば、他の機器と通信することにより得られたデータを、マイクロコンピュータでプログラムを実行することによって処理し、所定の画像をディスプレイに表示するようになされている。
【００３５】
表示装置１０は、例えば、アクセスポイント１２を介してネットワーク２０にアクセスし、サーバ１１から送信されるレイアウトデータ、テキストデータなどを受信する。また、表示装置１０は、実装するアプリケーションプログラムなどを実行することにより、サーバ１１から受信したレイアウトデータ、テキストデータなどに基づいてコンテンツをディスプレイに表示するようになされている。
【００３６】
サーバ１１は、例えば、コンテンツを提供する業者によって運用管理されるサーバとされる。サーバ１１は、例えば、新聞社により新聞をコンテンツとして配信するためのサーバとされ、レイアウトデータやテキストデータなどを、ネットワーク２０を介して表示装置１０に送信する。
【００３７】
ここでは、表示装置１０が、例えば、無線通信などにより接続されたアクセスポイント１２を介してネットワーク２０にアクセスする例について説明したが、表示装置１０が直接ネットワーク２０に接続されるようにしてもよい。
【００３８】
なお、ここでは、１つの表示装置１０が記載されているが、実際にはもっと多くの表示装置が存在する。例えば、新聞のコンテンツの場合、複数の表示装置がネットワーク２０を通じてサーバ１１にアクセスすることにより、複数のユーザが新聞を閲覧できるようになされている。
【００３９】
図２は、図１の表示装置１０であって、本技術を適用した表示装置１０の外観の例を示す図である。同図に示されるように、表示装置１０は、極めて薄い箱型（６面体）のデバイスとして構成されており、少なくともその一面にディスプレイが設けられる。このディスプレイは、例えば、電子ペーパーなどにより構成されている。また、液晶ディスプレイとされるようにしてもよい。
【００４０】
なお、表示装置１０のディスプレイは、例えば、静電容量の変化を検出し、ユーザの指などが近接したことを検出する近接パネルなどを内部に有する構成とされている。例えば、表示装置１０のディスプレイに、ユーザが指を近接させた場合、パネル上の所定の位置における静電容量の変化が検出され、その位置において、ユーザの指などがどの程度近接しているのかを表す信号を出力するようになされている。従って、表示装置１０のディスプレイは、タッチパネルとして利用することも可能であり、このディスプレイに表示された画像は、例えば、ＧＵＩ（Graphical User Interface）として操作することが可能な画像とされる。
【００４１】
図２の例では、表示装置１０のディスプレイに新聞のコンテンツが表示されている。表示装置１０のディスプレイに表示されるコンテンツは、後述するように、レイアウトデータとテキストデータとに基づいて表示される。
【００４２】
図３は、レイアウトデータを説明する図である。同図の例では、新聞のコンテンツのレイアウトの例が示されている。
【００４３】
なお、本明細書に添付される図面の中では、便宜上、適宜、新聞の紙面に表示される文字を、例えば、「○○」、「□□」、「××」、「・・・」などのような図形や記号を用いて表記されている。
【００４４】
図３の例において、領域２１は、新聞の紙名（○○□□新聞）、日付、目次などが縦書きで表示される領域とされる。領域２２は、新聞の紙名、日付、ページなどが横書きで表示される領域とされる。
【００４５】
また、同図に示される領域３１乃至領域３６は、新聞の記事が挿入される領域とされる。すなわち、領域３１乃至領域３６には、各記事のタイトル、見出しのみが表示されており、記事本文が表示されていない。
【００４６】
なお、図３において、紙面の右下、左下などにおいて必要に応じて適宜広告が挿入される。
【００４７】
レイアウトデータは、例えば、図３に示されるように、各記事を表示させるための領域の位置、大きさ、および形状、各記事のタイトル、見出し、並びに各記事のタイトル、見出しに係るスタイルを指定するための情報とされる。レイアウトデータは、必ずしも図３に示されるような画面を表示させるデータである必要はない。
【００４８】
例えば、紙面において各記事が表示される領域の位置、大きさ、形状などを特定するための情報（例えば、座標など）、および、それらの領域の中でタイトルや見出しが表示される部分を特定するための位置情報などがレイアウトデータに含まれる。また、各記事のタイトルや見出しを構成するテキスト、各記事のタイトルの字体、文字サイズ、白抜き／黒抜き／縁取りなどに係る情報、見出しの文字サイズなどの情報がレイアウトデータに含まれる。
【００４９】
また、レイアウトデータに、記事に係る写真の画像などが含まれるようにしてもよい。
【００５０】
レイアウトデータは、例えば、新聞などのコンテンツを提供する新聞社などにより作成されて送信されるようになされている。また、例えば、新聞などのコンテンツを提供する新聞社が、図３の領域３１乃至領域３６に表示される記事本文のテキストデータを作成し、例えば、図１のサーバ１１によって、ネットワーク２０を介して送信するようになされている。
【００５１】
なお、レイアウトデータにより指定された複数の領域（例えば、領域３１乃至領域３６）のそれぞれには、当該領域に表示される記事のテキストデータが予め対応付けられている。例えば、サーバ１１において記憶されているレイアウトデータにおいて、領域３１乃至領域３６を識別するための識別番号が付与され、それらの識別番号に対応づけられて各記事のテキストデータが記憶されている。
【００５２】
サーバ１１から送信されたレイアウトデータとテキストデータは、表示装置１０により受信される。そして、レイアウトデータによって指定された領域３１乃至領域３６に、テキストデータに対応する文字列が挿入されてディスプレイに表示される。
【００５３】
図４は、図３のレイアウトに対応する新聞のコンテンツにおける紙面の画像を縮小して、表示装置１０のディスプレイに表示させた例を示す図である。表示装置１０のディスプレイは、新聞の紙面をそのまま表示させるには小さすぎるものなので、記事の本文を構成する文字が極めて小さく表示されている。
【００５４】
図５は、図３のレイアウトに対応する新聞のコンテンツにおける紙面を、本技術を適用することで表示装置１０のディスプレイに表示させた例を示す図である。同図の例では、図３に示される領域２１の大部分および領域２２の全部が削除され、また、広告が削除されて紙面の画像が表示されている。
【００５５】
図５の例の場合、表示装置１０は、レイアウトデータを受信して、例えば、図３に示されるような各記事を表示させるための領域の位置、大きさ、および形状、各記事のタイトル、見出し、並びに各記事のタイトル、見出しに係るスタイルを設定する。これにより図３に示されるような画像を表示させることが可能となる。
【００５６】
なお、レイアウトデータは、例えば、ネットワーク２０に接続された新聞社のサーバ１１などから送信され、表示装置１０は、ネットワーク２０を介してレイアウトデータを受信するようになされている。
【００５７】
また、図５の例の場合、表示装置１０は、図３に示される領域２１の大部分および領域２２の全部、並びに広告を削除して、領域３１乃至領域３６を再配置する。このとき、例えば、削除された部分が、近傍の記事を表示するための領域として割り当てられ、領域３１乃至領域３６の中の所定の領域に追加される。
【００５８】
さらに、図５の例の場合、表示装置１０は、テキストデータを受信して、領域３１乃至領域３６にそれぞれ記事本文の文字列を表示させる。このとき、例えば、表示装置１０のディスプレイのサイズ、解像度などに基づいて、文字のサイズや文字の間隔などが自動的に設定されるようになされている。例えば、ユーザが無理なく読める標準的な文字のサイズ、文字の間隔が予め与えられる。そして、例えば、ディスプレイのサイズが所定のサイズより大きい場合、文字の間隔がやや広くなるように設定され、ディスプレイの解像度が所定の解像度より低い場合、文字のサイズがやや大きくなるように設定される。
【００５９】
これにより、図５に示されるように、紙面が表示される。なお、図５の例では、各領域に表示された記事が途中で切れている。上述したように、ユーザが無理なく読める文字のサイズ、文字の間隔などが設定されたため、レイアウトデータにより指定された領域３１乃至領域３６では、記事の文字を全て表示することができないからである。
【００６０】
ただし、新聞の記事は、通常、読み進めるに従って、より詳細な内容が記述されるように配置されているので、記事の文字を全て表示しなくとも、ディスプレイに表示された紙面全体を一目で俯瞰して概要を把握するこができると考えられる。
【００６１】
ユーザは、例えば、図５に示される記事が表示された領域のいずれかをクリック操作することなどで、当該領域の記事の全文を表示させることができる。すなわち、クリックされた領域に表示される記事本文のテキストデータに基づいて、ディスプレイに記事の全文が表示された画面が表示される。
【００６２】
また、各記事のタイトル、見出しに係る文字の大きさ、ディスプレイに表示される記事本文の文字数は、表示装置１０のディスプレイのサイズに応じて変更されるようになされている。例えば、表示装置１０のディスプレイのサイズが小さい場合、レイアウトデータで指定された位置に各記事のタイトル、見出しを表示することができるように、各記事のタイトル、見出しに係る文字の大きさが小さく設定される。また、例えば、表示装置１０のディスプレイのサイズが小さい場合、ディスプレイに表示される記事本文の文字数が少なくなる。
【００６３】
図６は、表示装置１０のディスプレイのサイズに応じた紙面の表示の例を説明する図である。図６Ａと図６Ｂは、いずれも同じ、レイアウトデータに基づいて同じ新聞の紙面のコンテンツを表示させる場合の画像の例を示している。ここで、図６Ｂは、図６Ａと比較して小さいディスプレイに紙面を表示する場合の画像の例を示している。
【００６４】
図６Ｂは、図６Ａの場合と比較して、各記事のタイトル、見出しに係る文字の大きさが小さく設定されている。また、図６Ｂでは、図６Ａの場合と比較して、ディスプレイに表示される記事本文の文字数が少ない。
【００６５】
例えば、図６Ｂにおいて、ディスプレイの左下に配置された記事は、図４に示される紙面上では、「・・・手当額は１人あたり年間○○万円・・・」と記載されているところ、「・・・手当額は１人あたり年間」と記載されている。すなわち、ディスプレイの大きさに対応して記事の文字数が少なくなるようになされている。
【００６６】
なお、勿論、表示装置１０のディスプレイのサイズに係らず、見出しに係る文字の大きさ、ディスプレイに表示される記事本文の文字数などが一定とされるようにしても構わない。
【００６７】
あるいはまた、ユーザからの指令のあったとき、各記事のタイトル、見出しに係る文字の大きさ、ディスプレイに表示される記事本文の文字数が、表示装置１０のディスプレイのサイズに応じて変更されるようにしてもよい。
【００６８】
さらに、例えば、表示装置１０のディスプレイに表示される記事の中の所定の記事が強調表示されるようにしてもよい。例えば、記事のアクセス数やソーシャルネットワーク上での引用数などに基づいて、強調表示すべき記事を特定し、当該記事の領域の表示形態を変更するようにしてもよい。この場合、例えば、各記事のアクセス数やソーシャルネットワーク上での引用数などに係る情報が、ネットワーク２０を介してサーバ１１から取得されるようにすればよい。
【００６９】
図７は、表示装置１０のディスプレイに表示される記事の中の所定の記事が強調表示される場合の例を示す図である。
【００７０】
図７Ａは、強調すべき記事を濃い色で表示し、その他の記事を淡い色で表示する場合の例を示す図である。この例では、領域３２と領域３６に表示される記事が濃い色で表示されており、その他の記事は淡い色で表示されている。
【００７１】
また、例えば、表示装置１０のディスプレイが３Ｄ表示に対応するものである場合、強調表示する記事が画面から浮かび上がるように表示されるようにしてもよい。図７Ｂは、強調表示される記事が画面から浮かび上がるように表示される場合の例を示す図である。この例では、領域３２と領域３６に表示される記事が画面から浮かび上がるように表示されている。
【００７２】
上述した強調表示は、表示装置１０によって自動的に行われるようにしてもよいし、例えば、ユーザからの指令のあったときに行われるようにしてもよい。
【００７３】
また、本技術においては、表示装置１０のディスプレイの縦横比に応じて記事が縦書きまたは横書きで表示されるようになされている。
【００７４】
例えば、ディスプレイの横方向（水平方向）の長さが縦方向（垂直方向）の長さより短い場合、記事が縦書き表示され、ディスプレイの横方向（水平方向）の長さが縦方向（垂直方向）の長さより長い場合、記事が横書き表示される。
【００７５】
例えば、レイアウトデータが縦書き表示を前提として作成されている場合、本技術では、表示装置１０が自動的に横書き表示の場合の各記事の表示領域を決定するようになされている。
【００７６】
縦書き表示のレイアウトデータに基づいて横書き表示のための記事の表示領域を決定する場合、まず、レイアウトデータに基づいて各記事の紙面の占有率が求められる。レイアウトデータによって、例えば、図８に示されるように各記事の縦書きでの表示領域が定められていたとする。この場合、表示装置１０は、各記事が表示されている領域の紙面に対する占有率を計算する。なお、占有率を計算する場合、新聞の紙名、日付、ページなどが表示される領域、広告を表示する領域などが削除された上で、紙面に対する占有率が計算される。
【００７７】
そして、表示装置１０は、ディスプレイ全体を、複数の格子状のグリッドに分割し、上述したように計算された占有率に応じて各記事の表示領域に対応する数のグリッドを割り当てる。図９は、図８に示される各記事の表示領域が、それぞれの占有率に対応する数のグリッドとして割り当てられた例を示している。
【００７８】
次に、表示装置１０は、各記事の表示領域の配置を特定する。このとき、例えば、レイアウトデータの中で紙面の四隅に配置されていた記事が抽出される。
【００７９】
例えば、図１０に示されるように表示される紙面を考える。いまの場合、領域５１に表示された記事、領域５２に表示された記事、および領域５３に表示された記事に注目する。
【００８０】
領域５１は、紙面の右上隅の点５１ａを含んでいる。なお、実際には、この新聞の紙名、日付などが紙面の右上隅に表示されることになるが、これらは記事ではないため、領域５１の点５１ａが紙面の右上隅であると認識される。
【００８１】
領域５２は、紙面の左上隅の点５２ａを含んでいる。なお、実際には、日付やページなどが紙面の左上隅に表示されることになるが、これらは記事ではないため、領域５２の点５２ａが紙面の左上隅であると認識される。
【００８２】
領域５３は、紙面の右下隅の点５３ａを含んでいる。なお、実際には、広告などが紙面の右下隅に表示されることになるが、これらは記事ではないため、領域５３の点５３ａが紙面の右下隅であると認識される。
【００８３】
このようにして表示装置１０は、縦書き表示の状態における右上隅の記事である領域５１の記事、左上隅の記事である領域５２の記事、右下隅の記事である領域５３の記事を特定する。そして、表示装置１０は、これらの記事の横書き表示の状態における配置位置を特定する。
【００８４】
なお、この例では、左下隅の記事が抽出されていないが、左下隅の記事も同様にして抽出されるようにしてもよい。
【００８５】
縦書き表示の場合、通常、最も注目される記事が右上隅に配置される。縦書き表示の場合、通常、紙面の右上隅の文字から読まれることが多いからである。また、紙面において、左上隅、右下隅、左下隅に配置される記事は、それぞれ紙面のレイアウト上、何等かの意味をもって配置されることが多い。そこで、本技術では、紙面の４隅に配置された記事の位置関係を保持して縦書き表示の状態における記事の配置を、横書き表示の状態における配置に変換する。
【００８６】
横書き表示の場合、通常、最も注目される記事は左上隅に配置される。横書き表示の場合、通常、紙面の左上隅の文字から読まれることが多いからである。従って、縦書き表示の状態において紙面の右上隅に配置されていた記事は、横書き表示の状態において、紙面の左上隅に配置されることが望ましい。
【００８７】
例えば、本技術では、縦書き表示の場合の記事の配置位置を、９０度反時計回りに回転させることで、横書き表示の場合の記事の配置位置に対応付ける。これにより、例えば、縦書き表示の場合に右上隅に配置されていた記事は、横書き表示の場合に左上隅に対応付けられ、縦書き表示の場合に左上隅に配置されていた記事は、横書き表示の場合に左下隅に対応付けられ、縦書き表示の場合に右下隅に配置されていた記事は、横書き表示の場合に右上隅に対応付けられる。
【００８８】
例えば、図１０に示される縦書き表示の場合における記事の配置が、図１１に示される横書き表示の場合における記事の配置に変更される。図１１の例では、領域５１の記事が紙面の左上隅に配置され、領域５２の記事が紙面の左下隅に配置され、領域５３の記事が紙面の右上隅に配置されている。
【００８９】
紙面の４隅の記事以外の記事は、例えば、紙面の各辺（外枠）に接している記事でかつ占有率の高いもの（割り当てられたグリッド数が多いもの）から順に、占有率に応じて割り当てられたグリッド数と同じ面積の矩形が作成されて配置される。
【００９０】
例えば、紙面の４隅の記事以外の記事であって、縦書き表示の場合、紙面の４辺のうち上側の辺に接していた記事は、横書き表示の場合、紙面の４辺のうち左側の辺に接して配置される。また、紙面の４隅の記事以外の記事であって、縦書き表示の場合、紙面の４辺のうち左側の辺に接していた記事は、横書き表示の場合、紙面の４辺のうち下側の辺に接して配置され、同様に、各辺に接する記事の配置が変更される。このとき、例えば、縦書き表示において所定の辺に接するように配置されていた記事の全てを、横書き表示において対応する辺に接するように配置できない場合、割り当てられたグリッド数が多い記事が優先的に、各辺に接するように配置される。
【００９１】
従って、例えば、縦書き表示において図８に示されるような紙面の場合、図１２に示されるように、横書き表示の場合の各記事の表示領域が決定される。
【００９２】
なお、上述した各記事の表示領域の決定の方式は、一例であり、これとは異なる方式で各記事の表示領域が決定されるようにしてもよい。
【００９３】
そして、例えば、図１３に示されるように、各記事の表示領域の中に、記事のタイトルや見出し、記事本文の文字列が表示される。この際、例えば、ユーザが無理なく読めるように、文字のサイズや文字の間隔などが自動的に設定されるようになされている。また、各領域に表示される記事の文字の数も文字のサイズや文字の間隔などに応じて自動的に定まることになる。
【００９４】
なお、後述するように、各記事の表示領域がクリックされるなどした場合、記事の全文が表示されるようになされている。
【００９５】
ここでは、例えば、レイアウトデータが縦書き表示を前提として作成されている場合の例について説明したが、レイアウトデータが横書き表示を前提として作成されている場合についても同様に、横書き表示から縦書き表示に変更されるようにしてもよい。
【００９６】
また、ここでは、表示装置１０が自動的に縦書き表示／横書き表示の変更を行う例について説明したが、例えば、ユーザの指令があったときに、縦書き表示／横書き表示の変更が行われるようにしてもよい。
【００９７】
また、必要に応じて、記事の本文が表示されずにタイトルや見出しが表示されるようにしてもよい。例えば、バッテリーで稼働する表示装置１０が充電器（ドッキングステーション）に装着された場合、記事の本文が表示されずにタイトルや見出しが表示されるようにしてもよい。
【００９８】
図１４は、表示装置１０において、記事の本文が表示されずにタイトルや見出しが表示される場合の例を示す図である。同図の例では、表示装置１０がドッキングステーション１９に装着されており、記事のタイトルおよび写真が拡大されて表示されている。例えば、表示装置１０のマイコンなどがドッキングステーションに装着されたことを検知すると、表示装置１０のディスプレイの表示の形態が変更されるようになされている。
【００９９】
なお、例えば、レイアウトデータによって指定された記事の配置に応じて、タイトルの文字サイズの大きさが設定される。
【０１００】
この例では、図中最も上に表示された記事のタイトルの文字サイズが最も大きく、図中最も下に表示された記事のタイトルの文字サイズが最も小さく、図中中央に表示された記事のタイトルの文字サイズは、それらの中間の大きさとされている。例えば、図１４において、最も上に表示されたタイトルの記事は、レイアウトデータにより紙面の右上隅に配置されることが指定された記事であり、中央に表示されたタイトルの記事は、レイアウトデータにより紙面の左上隅に配置されることが指定された記事であり、最も下に表示されたタイトルの記事は、レイアウトデータにより紙面の右下隅に配置されることが指定された記事とされる。
【０１０１】
このように、記事のタイトルおよび写真が拡大されて表示されるようにすることで、表示装置１０のディスプレイを遠くから見た場合であっても、新聞の記事の概要を確認することが可能となる。例えば、ドッキングステーション１９が部屋のすみなどに設置されており、表示装置１０がドッキングステーション１９に装着された場合、ユーザは、遠くから新聞の記事の概要を確認することが可能となる。
【０１０２】
なお、図１４に示されるような状態において、各記事のタイトルがクリックされるなどした場合、記事の全文が表示されるようになされている。
【０１０３】
図１５は、記事の全文が表示される場合の例を説明する図である。図１５Ａは、表示装置１０のディスプレイに、１つの紙面が表示されている場合の例を示す図である。図１５Ｂは、図１５Ａの図中左上隅に配置された記事の全文が表示される場合の例を示す図である。表示装置１０においては、上述したように、例えば、図１５Ａの図中左上の記事が表示されている領域の一部を、ユーザが指でクリックすることなどにより、図１５Ｂに示されるように、記事の全文を表示させることができる。
【０１０４】
図１５Ｂには、記事全文が表示されているが、記事の一部が淡い色で表示されている。すなわち、図１５Ａで紙面の左上隅に表示された記事の本文のうち、図１５Ａにおいて表示されていた部分の文字が、図１５Ｂにおいて淡い色で表示されている。このようにすることで、例えば、図１５Ａにおいて、記事を途中まで読んだユーザが、記事の続きを簡単に認識することができる。
【０１０５】
もちろん、図１５Ｂにおいて記事全文が同じ色（同じ表示の態様）で表示されるようにしても構わない。
【０１０６】
あるいはまた、図１５Ｂの画面において、図１５Ａにおいて表示されていた部分の文字が表示されないようにしてもよい。すなわち、記事全文を表示させる画面では、紙面が表示される画面において表示されていた記事の本文が表示されないようにしてもよい。
【０１０７】
さらに、例えば、記事本文の字数が多く、図１５Ｂの画面においても全文を表示させることが困難な場合、図１５Ｂの画面においてもやはり記事が途中で切れるようにしても構わない。このような場合、例えば、図１５Ｂに示される画面がスクロール表示されるようにすればよい。例えば、図１５Ｂの画面を、ユーザが指でスワイプまたはフリックすることにより、記事の本文の表示がスクロールされるようにすればよい。
【０１０８】
あるいはまた、例えば、紙面が表示される画面において、所望の記事をスクロールして表示させるようにしてもよい。例えば、図１５Ａにおける図中左上の記事が表示されている領域を、ユーザが指でスワイプまたはフリックすることにより、記事の本文の表示がスクロールされるようにしてもよい。
【０１０９】
図１６は、図１５Ａで紙面の左上隅に表示された記事の本文がスクロールされて表示された場合の例を示す図である。この例では、記事の本文がスクロールされたことにより、あたかも、図１５Ａでは左上隅の領域の下側に隠れていた文字列が、図１６の左上隅の領域に出現したように表示されることになる。このようにすることで、ユーザが、紙面の構成を把握しつつ、興味のある記事の本文を閲覧していくようにすることができる。
【０１１０】
さらに、例えば、紙面が表示される画面において、所望の記事の文字を拡大して表示させるようにしてもよい。例えば、図１５Ａにおける図中左上の記事が表示されている領域を、ユーザが指でピンチアウトすることにより、記事の本文の文字が拡大されて表示されるようにしてもよい。
【０１１１】
図１７は、図１５Ａで紙面の左上隅に表示された記事の本文の文字が拡大されて表示された場合の例を示す図である。このようにすることで、ユーザが、紙面の構成を把握しつつ、例えば、読みづらい部分の文字を拡大させて読むようにすることができる。
【０１１２】
なお、ここでは、ピンチアウト操作により文字が拡大される例について説明したが、例えば、ピンチイン操作により文字が縮小されるようにしてもよい。このようにすることで、例えば、ユーザは、所定の領域の記事の本文の文字を縮小して表示させ、より多い文字数で記事の本文を表示させることができる。
【０１１３】
次に、図１８のフローチャートを参照して、表示装置１０による紙面表示処理の例について説明する。
【０１１４】
ステップＳ２１において、表示装置１０は、サーバ１１から送信されたレイアウトデータを、ネットワークを介して受信する。
【０１１５】
ステップＳ２２において、表示装置１０は、ステップＳ２１で受信したレイアウトデータを解析する。これにより、各記事を表示する領域が個々に認識されることになる。
【０１１６】
ステップＳ２３において、表示装置１０は、ステップＳ２２の処理の結果、認識された各領域に表示させる記事のテキストデータを、サーバ１１からネットワーク２０を介して受信する。なお、ステップＳ２３では、記事全文のテキストデータが受信されるようにしてもよいし、記事の一部のみが受信されるようにしてもよい。
【０１１７】
記事の一部のみが受信されるようにする場合、例えば、ユーザが記事全文を表示させる操作を行った場合、記事全文のテキストデータが受信される。
【０１１８】
また、記事全文のテキストデータが受信されるようにする場合、全ての記事のテキストデータがここで受信されるようにしてもよいし、一部の記事が選択的に受信されるようにしてもよい。例えば、ユーザの閲覧傾向や嗜好情報などに基づいて読む確率が高いと考えられる記事については、記事全文のテキストデータが受信され、それ以外の記事のテキストデータは、記事の一部のみが受信される。
【０１１９】
ステップＳ２４において、表示装置１０のディスプレイの構成情報が取得される。ここで、ディスプレイの構成情報は、例えば、ディスプレイのサイズ、縦横比、解像度などを表す情報とされる。
【０１２０】
ステップＳ２５において、表示装置１０は、ステップＳ２４で取得したディスプレイの構成情報に基づいて、記事を横書き表示すべきか否かを判定する。例えば、ディスプレイの横方向（水平方向）の長さが縦方向（垂直方向）の長さより長い場合、ステップＳ２５では、記事を横書き表示すべきであると判定される。
【０１２１】
ステップＳ２５において、記事を横書き表示すべきであると判定された場合、処理は、ステップＳ２６に進む。
【０１２２】
ステップＳ２６において、表示装置１０は、記事の配置を変換する。このとき、例えば、図８乃至図１２を参照して上述したように、縦書き表示の場合の記事の配置が、横書き表示の場合の記事の配置に変換される。
【０１２３】
一方、ステップＳ２５において、記事を横書き表示すべきではないと判定された場合、ステップＳ２６の処理は、スキップされる。
【０１２４】
ステップＳ２７において、表示装置１０は、文字のスタイルなどを設定する。このとき、例えば、ステップＳ２４の処理で取得されたディスプレイの構成情報に基づいて、ディスプレイのサイズ、解像度などを特定し、記事本文の文字のサイズや文字の間隔などが設定される。また、必要に応じて、レイアウトデータで指定された記事のタイトルや見出しの文字のサイズが変更される。
【０１２５】
また、強調表示すべき記事がある場合、ステップＳ２７において、例えば、図７Ａを参照して上述したように、当該記事に係る文字を濃い色で表示するための設定がなされたり、図７Ｂを参照して上述したように、強調表示される記事が画面から浮かび上がるように表示するための設定がなされる。
【０１２６】
ステップＳ２８において、表示装置１０は、ディスプレイに紙面の画像を表示する。これにより、例えば、図６、図７、図１３などを参照して上述したように、紙面の画像が表示される。
【０１２７】
このようにして、紙面表示処理が実行される。
【０１２８】
次に、図１９のフローチャートを参照して、表示装置１０による記事表示操作処理の例について説明する。この処理は、例えば、図１８を参照して上述した紙面表示処理により、例えば、既に図６、図７、図１３などを参照して上述したように、紙面の画像が表示されているとき実行される。
【０１２９】
ステップＳ４１において、表示装置１０は、クリック操作を検知したか否かを判定する。例えば、ユーザがディスプレイにおいて、記事が表示されている領域の一部を指でクリックした場合、ステップＳ４１では、クリック操作を検知したと判定される。
【０１３０】
ステップＳ４１において、クリック操作を検知したと判定された場合、処理は、ステップＳ４２に進む。
【０１３１】
ステップＳ４２において、表示装置１０は、操作された領域を特定する。これにより、例えば、レイアウトデータにより指定された複数の領域（各記事を表示するための領域）のうちのいずれの領域においてクリック操作が検知されたのかが特定される。
【０１３２】
ステップＳ４３において、表示装置１０は、ステップＳ４２の処理で特定された領域に表示される記事の全文を表示させる。例えば、図１５Ａの図中左上の記事が表示されている領域の一部を、ユーザが指でクリックした場合、図１５Ｂに示されるように、記事の全文が表示される。
【０１３３】
このとき、例えば、図１５を参照して上述したように、紙面を表示する画面において表示されていた部分の文字が、淡い色で表示されるようにしてもよい。
【０１３４】
あるいはまた、記事全文を表示させる画面では、紙面が表示される画面において表示されていた記事の本文が表示されないようにしてもよい。
【０１３５】
さらに、例えば、記事本文の字数が多く、全文を表示させることが困難な場合、記事全文を表示させる画面においてもやはり記事が途中で切れるようにしても構わない。
【０１３６】
ステップＳ４１において、クリック操作を検知しなかったと判定された場合、または、ステップＳ４３の処理の後、処理は、ステップＳ４４に進む。
【０１３７】
ステップＳ４４において、表示装置１０は、スワイプ（またはフリック）操作を検知したか否かを判定する。例えば、ユーザがディスプレイにおいて、記事が表示されている領域の一部を指でスワイプした場合、ステップＳ４４では、スワイプ操作を検知したと判定される。
【０１３８】
ステップＳ４４において、スワイプ操作を検知したと判定された場合、処理は、ステップＳ４５に進む。
【０１３９】
ステップＳ４５において、表示装置１０は、操作された領域を特定する。これにより、例えば、レイアウトデータにより指定された複数の領域（各記事を表示するための領域）のうちのいずれの領域においてスワイプ操作が検知されたのかが特定される。
【０１４０】
ステップＳ４６において、表示装置１０は、ステップＳ４５の処理で特定された領域に表示される記事をスクロール表示させる。
【０１４１】
ステップＳ４４において、スワイプ操作を検知しなかったと判定された場合、または、ステップＳ４６の処理の後、処理は、ステップＳ４７に進む。
【０１４２】
ステップＳ４７において、表示装置１０は、ピンチアウト操作を検知したか否かを判定する。例えば、ユーザがディスプレイにおいて、記事が表示されている領域の一部で指を広げるような操作（ピンチアウト）をした場合、ステップＳ４７では、ピンチアウト操作を検知したと判定される。
【０１４３】
ステップＳ４７において、ピンチアウト操作を検知したと判定された場合、処理は、ステップＳ４８に進む。
【０１４４】
ステップＳ４８において、表示装置１０は、操作された領域を特定する。これにより、例えば、レイアウトデータにより指定された複数の領域（各記事を表示するための領域）のうちのいずれの領域においてピンチアウト操作が検知されたのかが特定される。
【０１４５】
ステップＳ４９において、表示装置１０は、ステップＳ４８の処理で特定された領域に表示される記事の文字を拡大して表示させる。
【０１４６】
ステップＳ４７において、ピンチアウト操作を検知しなかったと判定された場合、または、ステップＳ４９の処理の後、処理は、ステップＳ５０に進む。
【０１４７】
ステップＳ５０において、表示装置１０は、ピンチイン操作を検知したか否かを判定する。例えば、ユーザがディスプレイにおいて、記事が表示されている領域の一部を指でつまむような操作（ピンチイン）をした場合、ステップＳ５０では、ピンチイン操作を検知したと判定される。
【０１４８】
ステップＳ５０において、ピンチイン操作を検知したと判定された場合、処理は、ステップＳ５１に進む。
【０１４９】
ステップＳ５１において、表示装置１０は、操作された領域を特定する。これにより、例えば、レイアウトデータにより指定された複数の領域（各記事を表示するための領域）のうちのいずれの領域においてピンチイン操作が検知されたのかが特定される。
【０１５０】
ステップＳ５２において、表示装置１０は、ステップＳ５１の処理で特定された領域に表示される記事の文字を縮小して表示させる。
【０１５１】
ステップＳ５０において、ピンチイン操作を検知しなかったと判定された場合、または、ステップＳ５２の処理の後、処理は、終了する。
【０１５２】
このようにして記事表示操作処理が実行される。
【０１５３】
なお、本技術を適用した表示装置１０は、必ずしも図２に示されるような単一の装置として構成される必要はなく、例えば、２つ以上の装置を組み合わせて構成されるようにしてもよい。
【０１５４】
例えば、表示装置１０のディスプレイを、電子ペーパーを用いて構成する場合、表示装置１０が所定の電子機器の一部に装着されるようにして構成されるようにしてもよい。例えば、ノート型パーソナルコンピュータの一部やタブレット型端末の一部に表示装置１０が装着されるようにしてもよい。
【０１５５】
図２０は、表示装置１０がノート型パーソナルコンピュータの一部に装着された場合の例を示す図である。この例では、ノート型パーソナルコンピュータのディスプレイの裏側に表示装置１０が装着されている。
【０１５６】
図２１は、表示装置１０がタブレット型端末の一部に装着された場合の例を示す図である。この例では、タブレット型端末のディスプレイの裏側に表示装置１０が装着されている。
【０１５７】
このようにすることで、例えば、パーソナルコンピュータやタブレット型端末のバッテリーを、表示装置１０への電力の供給に用いることができ、表示装置１０にバッテリーを搭載する必要がなくなる。従って、表示装置１０の大幅な薄型化、軽量化を実現することができる。
【０１５８】
また、電子ペーパーは、電力が供給されなくとも、表示された画像を一定期間保持することが可能なので、パーソナルコンピュータやタブレット型端末の電源がＯＦＦとされている状態でも、ユーザは新聞などのコンテンツを閲覧することができる。
【０１５９】
なお、以上においては、サーバ１１においてレイアウトデータが作成されて表示装置１０に送信される例について説明したが、例えば、表示装置１０においてレイアウトデータが作成されるようにしても構わない。この場合、例えば、表示装置１０が記事のタイトルや見出しなども単にテキストデータとして受信するようにし、予め指定された方式に基づいて各記事の配置やタイトルや見出しの位置、スタイルなどを決定してレイアウトデータを作成するようにすればよい。
【０１６０】
また、以上においては、主に、表示装置１０において新聞のコンテンツを表示する場合の例について説明したが、例えば、表示装置１０において、雑誌のコンテンツを表示する場合、ＷＥＢページのコンテンツを表示する場合でも、本技術を適用することができる。
【０１６１】
さらに、以上においては、日本語のコンテンツを表示させる場合の例について説明したが、本技術は、日本語以外の言語に適用することも可能である。図２２は、本技術を英語のコンテンツに適用する場合の例を説明する図である。
【０１６２】
図２２に示されるように、この例では、英語の記事が記載された新聞のコンテンツが表示装置１０に表示されている。なお、同図に示される英語の新聞のコンテンツは、元の紙面は横書きであるため、レイアウトデータも横書きの表示態様のものが提供されることになる。
【０１６３】
この例では、領域４１、領域４２、および領域４３にそれぞれ記事が配置されている。上述したように、表示装置１０のディスプレイのサイズが小さい場合、ディスプレイに表示される記事本文の文字数が少なくなる。例えば、元の紙面において、領域４１の記事には、「・・・measures to curb inflation and demand for exports falters in Europe and the U.S.・・・」のように記載されていたものが、図２２に示される状態（表示装置１０のディスプレイに表示された状態）においては、「・・・measures to curb inflation and」のように表示される。
【０１６４】
勿論、図２２の例の場合も各領域の表示の態様が必要に応じて変更される。例えば、図７を参照して上述したように、図２２の例においても、表示装置１０のディスプレイに表示される記事の中の所定の記事が強調表示されるようにすることができる。また、図１５を参照して上述したように、例えば、領域４１の一部を、ユーザが指でクリックすることなどにより、記事の全文を表示させることができる。あるいはまた、図１６を参照して上述したように、例えば、領域４１を、ユーザが指でスワイプまたはフリックすることにより、記事の本文の表示がスクロールされるようにしてもよい。さらに、例えば、領域４１を、ユーザが指でピンチアウトすることにより、記事の本文の文字が拡大されて表示されるようにしてもよい。
【０１６５】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば図２３に示されるような汎用のパーソナルコンピュータ７００などに、ネットワークや記録媒体からインストールされる。
【０１６６】
図２３において、ＣＰＵ（Central Processing Unit）７０１は、ＲＯＭ（Read Only Memory）７０２に記憶されているプログラム、または記憶部７０８からＲＡＭ（Random Access Memory）７０３にロードされたプログラムに従って各種の処理を実行する。ＲＡＭ７０３にはまた、ＣＰＵ７０１が各種の処理を実行する上において必要なデータなども適宜記憶される。
【０１６７】
ＣＰＵ７０１、ＲＯＭ７０２、およびＲＡＭ７０３は、バス７０４を介して相互に接続されている。このバス７０４にはまた、入出力インタフェース７０５も接続されている。
【０１６８】
入出力インタフェース７０５には、キーボード、マウスなどよりなる入力部７０６、ＬＣＤ(Liquid Crystal display)などよりなるディスプレイ、並びにスピーカなどよりなる出力部７０７、ハードディスクなどより構成される記憶部７０８、モデム、ＬＡＮカードなどのネットワークインタフェースカードなどより構成される通信部７０９が接続されている。通信部７０９は、インターネットを含むネットワークを介しての通信処理を行う。
【０１６９】
入出力インタフェース７０５にはまた、必要に応じてドライブ７１０が接続され、磁気ディスク、光ディスク、光磁気ディスク、或いは半導体メモリなどのリムーバブルメディア７１１が適宜装着され、それらから読み出されたコンピュータプログラムが、必要に応じて記憶部７０８にインストールされる。
【０１７０】
上述した一連の処理をソフトウェアにより実行させる場合には、そのソフトウェアを構成するプログラムが、インターネットなどのネットワークや、リムーバブルメディア７１１などからなる記録媒体からインストールされる。
【０１７１】
なお、この記録媒体は、図２３に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア７１１により構成されるものだけでなく、装置本体に予め組み込まれた状態でユーザに配信される、プログラムが記録されているＲＯＭ７０２や、記憶部７０８に含まれるハードディスクなどで構成されるものも含む。
【０１７２】
なお、本明細書において上述した一連の処理は、記載された順序に沿って時系列的に行われる処理はもちろん、必ずしも時系列的に処理されなくとも、並列的あるいは個別に実行される処理をも含むものである。
【０１７３】
また、本技術の実施の形態は、上述した実施の形態に限定されるものではなく、本技術の要旨を逸脱しない範囲において種々の変更が可能である。
【０１７４】
なお、本技術は以下のような構成も取ることができる。
【０１７５】
（１）
文字列、または画像により構成される記事情報であって、複数の記事情報を組み合わせて構成されるコンテンツにおいて、前記複数の記事情報のそれぞれを表示させる領域を指定する情報を含むレイアウトデータに基づいて、前記領域のそれぞれに表示される文字列を特定するテキストデータを取得するテキストデータ取得部と、
前記レイアウトデータにより特定された領域に、前記領域に対応付けられた前記テキストデータにより特定される文字列を表示させるとともに、前記複数の領域を１つの画面に表示する表示制御部と
を備える情報処理装置。
（２）
前記レイアウトデータには、
前記領域のそれぞれに表示される記事情報に対応するタイトル、見出し、または画像に係る情報がさらに含まれる
（１）に記載の情報処理装置。
（３）
前記画面を表示させるディスプレイに係る情報に基づいて、前記文字列を構成する文字の大きさ、または、前記文字の数を変更する
（１）または（２）に記載の情報処理装置。
（４）
前記画面を表示させるディスプレイに係る情報に基づいて、前記文字列を縦書きまたは横書きのいずれの表示態様で表示させるかを判定する文字列方向判定部をさらに備える
（１）乃至（３）のいずれかに記載の情報処理装置。
（５）
前記レイアウトデータにおいて、前記文字列を縦書きまたは横書きのいずれの表示態様で表示させるかが指定され、
前記文字列の表示態様を変更して表示させる場合、
前記レイアウトデータにおいて指定された前記領域のそれぞれの配置、および、前記領域のそれぞれの画面内での占有率に基づいて、各文字列を表示する領域を新たに設定する
（１）乃至（４）のいずれかに記載の情報処理装置。
（６）
前記記事情報を構成するテキストデータが、他の情報処理装置に供給され、
前記表示制御部は、
前記他の情報処理装置による前記テキストデータの利用状況に基づいて特定された記事情報を強調表示させる
（１）乃至（５）のいずれかに記載の情報処理装置。
（７）
前記表示制御部は、
強調表示すべき記事情報を、他の記事情報とは異なる色の文字で表示させる
（１）乃至（６）のいずれかに記載の情報処理装置。
（８）
前記表示制御部は、
強調表示すべき記事情報を、３Ｄ表示させる
（１）乃至（７）のいずれかに記載の情報処理装置。
（９）
前記表示制御部は、
前記複数の領域のうち、所定の領域がユーザにより指定された場合、前記指定された領域に表示される記事情報のみを１つの画面に表示させる
（１）乃至（８）のいずれかに記載の情報処理装置。
（１０）
前記表示制御部は、
前記複数の領域のうち、所定の領域がユーザにより指定された場合、
前記指定された領域に表示されるべき文字列のうち、第１の画面において前記領域に表示されていた文字と、前記第１の画面において前記領域に表示されていなかった文字とを区別できる表示の態様で、前記指定された領域に表示されるべき文字列を、第２の画面に表示する
（１）乃至（９）のいずれかに記載の情報処理装置。
（１１）
バッテリーを内蔵する他の機器の一部に装着される
（１）乃至（１０）のいずれかに記載の情報処理装置。
（１２）
前記情報処理装置が、他の機器に装着された場合、
前記レイアウトデータに基づいて、所定の領域を特定するとともに、前記領域に表示される記事情報のタイトルを拡大して表示させる
（１）乃至（１１）のいずれかに記載の情報処理装置。
（１３）
タッチパネルとして構成され、前記画面を表示するディスプレイをさらに備え、
前記ディスプレイに表示された画像がＧＵＩとして操作される
（１）乃至（１２）のいずれかに記載の情報処理装置。
（１４）
前記レイアウトデータを、ネットワークを介して接続される他の機器から受信する
（１）乃至（１３）のいずれかに記載の情報処理装置。
（１５）
テキストデータ取得部が、文字列、または画像により構成される記事情報であって、複数の記事情報を組み合わせて構成されるコンテンツにおいて、前記複数の記事情報のそれぞれを表示させる領域を指定する情報を含むレイアウトデータに基づいて、前記領域のそれぞれに表示される文字列を特定するテキストデータを取得し、
表示制御部が、前記レイアウトデータにより特定された領域に、前記領域に対応付けられた前記テキストデータにより特定される文字列を表示させるとともに、前記複数の領域を１つの画面に表示するステップ
を含む情報処理方法。
（１６）
コンピュータを、
文字列、または画像により構成される記事情報であって、複数の記事情報を組み合わせて構成されるコンテンツにおいて、前記複数の記事情報のそれぞれを表示させる領域を指定する情報を含むレイアウトデータに基づいて、前記領域のそれぞれに表示される文字列を特定するテキストデータを取得するテキストデータ取得部と、
前記レイアウトデータにより特定された領域に、前記領域に対応付けられた前記テキストデータにより特定される文字列を表示させるとともに、前記複数の領域を１つの画面に表示する表示制御部とを備える情報処理装置として機能させる
プログラム。
【符号の説明】
【０１７６】
１０  表示装置，  １１  サーバ，  １２  アクセスポイント，  ２０  ネットワーク，  ７０１  ＣＰＵ
【図１】
0005983983.tif 000002
【図２】
0005983983.tif 000003
【図３】
0005983983.tif 000004
【図４】
0005983983.tif 000005
【図５】
0005983983.tif 000006
【図６】
0005983983.tif 000007
【図７】
0005983983.tif 000008
【図８】
0005983983.tif 000009
【図９】
0005983983.tif 000010
【図１０】
0005983983.tif 000011
【図１１】
0005983983.tif 000012
【図１２】
0005983983.tif 000013
【図１３】
0005983983.tif 000014
【図１４】
0005983983.tif 000015
【図１５】
0005983983.tif 000016
【図１６】
0005983983.tif 000017
【図１７】
0005983983.tif 000018
【図１８】
0005983983.tif 000019
【図１９】
0005983983.tif 000020
【図２０】
0005983983.tif 000021
【図２１】
0005983983.tif 000022
【図２２】
0005983983.tif 000023
【図２３】
0005983983.tif 000024